(57)【要約】【課題】ガスコンロにおいて、点火が確実におこなえて点火不良が生じないコンロバーナを搭載して使い勝手が良好で、燃焼性がよくて熱効率が高く省エネが得られること。【解決手段】バーナキャップ２とバーナボディ１でこんろバーナを構成し、バーナキャップ４は、斜め上向きに噴出して火炎を形成する炎口８を中心に向かって設けた形状とし、バーナキャップ４の外方１３に被覆体１４とバーナキャップ４とで設けた空間部１７に点火電極１９を構成加熱したものである。従って、点火不良のない確実な点火性能を有したガスコンロ１を提供することができる。【選択図】図１
2007032997.tif 000002
【特許請求の範囲】
【請求項１】
上面に開口を設けた環状頭部を有するバーナボディと、前記バーナボディの環状頭部に着脱自在に取り付け、中心側に向かって放射状に円周等間隔に炎口を配列するとともに前記炎口の断面は一端を他端面より上方に突出させた形状にプレスで成形加工したバーナキャップと、前記バーナキャップの外方に着脱自在に取り付け、前記炎口側及び下方側に開口Ａ及び開口Ｂを有する空間部を形成したリング状の被覆体と、前記被覆体の空間部に配設した点火電極とを備え、前記空間部には点火電極からの放電ターゲットを形成し、前記バーナキャップ上面に旋回状に噴出するガスの点火構成を有したガスコンロ。
【請求項２】
バーナキャップの炎口構成面又は、バーナキャップ外周壁に点火電極からの放電ターゲットを形成し、バーナキャップ上面に旋回状に噴出するガスの点火構成を有した請求項１記載のガスコンロ。
【請求項３】
バーナキャップ上面の放射状に配列した炎口の1つが、被覆体の空間部に形成される開口Ａの略中央に位置するように配置した請求項１または２記載のガスコンロ。
【発明の詳細な説明】
【技術分野】
【０００１】
本発明は、ガスコンロに搭載するコンロバーナに関し、特に、点火電極を用いた放電点火構成に関するものである。
【背景技術】
【０００２】
従来例１として図７に示すように、コンロバーナ３１を有したガスコンロ３０において、コンロバーナ３１はバーナボディ３２上面に円周上に配置した主炎口３３を有し、円周の一部に点火炎口３４配置したバーナキャップ３５を載置して構成し、主炎口３３及び点火炎口３４に燃焼炎３６及び点火炎３７をもって燃焼させて調理加熱をおこなっていた。コンロバーナ３１は、バーナキャップ３５とバーナボディ３２とで点火電極３８を設ける点火空間３９を構成し、点火電極３８に対向したバーナキャップ３３に放電ターゲット４０を構成し、ガスコンロ３０にて点火操作がされると点火電極３８と放電ターゲット４０間で放電する構成としてあり、点火空間３９には点火炎口３４が開口して構成されたガスコンロ３０である（例えば、特許文献１参照）。
【０００３】
また、従来例２として図８に示すように、バーナキャップ４１の上面にスリット炎口４２を設けたコンロバーナ４３もある（例えば、特許文献２参照）。
【特許文献１】特開２０００―２８３４１５号公報
【特許文献２】特開２００１―２０１０１７号公報
【発明の開示】
【発明が解決しようとする課題】
【０００４】
しかしながら、前記従来例１の構成では、円周上に主炎口３３が設けられて燃焼炎３６を形成するとともに、同じ円周上に点火炎口３４が設けられて点火炎３７が形成され、共にコンロバーナ３１の外周方向に向かって火炎が形成されて燃焼する。従って、ガスコンロ３０にて調理するために鍋等の被加熱物を加熱する場合、被加熱物の中心部分は燃焼炎３６等が存在しないので加熱されず、被加熱物の外側等が加熱されながら被加熱物の底面外周から側面を加熱しながら高温の燃焼ガスが流れる。このように被加熱物の底面外周に沿って燃焼ガスが流れるため被加熱物等の側面に存在する取っ手等が高温となり、直接手で触ることが困難となり、調理作業面で使い勝手が悪いという課題を有していた。このような取っ手等の温度が高くなり過ぎないようにするために、被加熱物の側面に流れた燃焼ガスの温度を下げて安全なガスコンロ３０を提供するために従来例２に示すようなコンロバーナ４３が提供された。
【０００５】
コンロバーナ４２を搭載したガスコンロ４３にあっては、被加熱物のより中心に燃焼炎が形成され加熱されるために被加熱物側面に至った時点での燃焼ガスの温度は被加熱物との間で熱交換しているので低いために被加熱物の取っ手等の温度が低くなることで安全なガスコンロが提供できるものであるが、点火構成に関する開示がない。
【０００６】
また、従来例１は、被加熱物の底面から外側を主に加熱するのに比して従来例２は被加熱物の中心をより加熱することで被加熱物はより広範囲を燃焼ガスで加熱されるので、従来例１に比して従来例２のガスコンロ３０が高い熱効率が得られ、省エネを実現したガスコンロ３０である。
【０００７】
本発明は上記従来の課題を解決すべく、バーナキャップの上面側に全ての炎口を形成したバーナを提案し、鍋底との距離を短くし、かつ、均一に加熱することで熱効率の向上を図ったものであり、特に、バーナキャップの上面側に全ての炎口を設けた構成における安
定した着火性能を確保することで、省エネ・熱効率の向上を図りつつ、製造面で造りやすく、安価なこんろバーナを提供することを目的とする。
【課題を解決するための手段】
【０００８】
上記課題を解決するために本発明のガスコンロは、上面に開口を設けた環状頭部を有するバーナボディと、前記バーナボディの環状頭部に着脱自在に取り付け、中心側に向かって放射状に円周等間隔に炎口を配列するとともに前記炎口の断面は一端を他端面より上方に突出させた形状にプレスで成形加工したバーナキャップと、前記バーナキャップの外方に着脱自在に取り付け、前記炎口側及び下方側に開口Ａ及び開口Ｂを有する空間部を形成したリング状の被覆体と、前記被覆体の空間部に配設した点火電極とを備え、前記空間部には点火電極からの放電ターゲットを形成し、前記バーナキャップ上面に旋回状に噴出するガスの点火構成を有したものである。
【０００９】
上記発明によれば、上面に開口を設けた環状頭部を有するバーナボディの該環状頭部に、中心側に向かって放射状に円周等間隔に炎口を配設して、炎口の断面は一端を他端面より上方に突出させた形状にプレスで成形加工したバーナキャップを載置したコンロバーナを構成したことにより、炎口からのガスは斜め上方に速度を有して噴出されるために、環状頭部で旋回流を呈する。このようなガスの流れが生じたコンロバーナでガスを燃焼させると、炎口に形成された燃焼炎は環状頭部で旋回した旋回燃焼を呈する。従って、旋回燃焼にて被加熱物を加熱すると、燃焼ガスは旋回流によって強制的に攪拌される現象が生じるので乱流状態になる。この乱流状態の燃焼ガスが被加熱物表面を流れるので被加熱物の表面と燃焼ガス間に生じる温度境界層が薄くなることで被加熱物と燃焼ガス間の熱伝達係数が大きくなる。よって、被加熱物に燃焼ガスから伝わる熱量が多くなる。以上のコンロバーナを搭載したガスコンロにあっては、熱効率の高い省エネのガスコンロが提供できるのである。また、旋回流が生じることで、旋回流の周囲の空気にも旋回流によって誘発された旋回現象が生じていつので、燃焼時に燃焼炎と燃焼用二次空気間の拡散係数が大きくなるので、燃焼炎に十分な二次空気供給がなされて完全燃焼がえられる。この完全燃焼によって一酸化炭素等が発生しない安全なガスコンロが提供できるのである。
【００１０】
また、上面に開口を設けた環状頭部を有するバーナボディの該環状頭部に、中心側に向かって放射状に円周等間隔に炎口を配設して、炎口の断面は一端を他端面より上方に突出させた形状にプレスで成形加工したバーナキャップを載置したコンロバーナを構成し、炎口の外方に一端を炎口側に開口した開口Ａと他端を炎口の外方の下方に開口した開口Ｂを有する空間部をバーナキャップの外周壁と被覆体で構成した。コンロバーナの外方に設けた空間部に点火電極を内包して空間部に点火電極からの放電ターゲットを構成して点火部を構成したことにより、炎口からのガスは斜め上方に速度を有して噴出されるために、環状頭部で旋回流を呈する。この旋回流の一部はバーナキャップ外方の部分で旋回流によって生じている遠心力にてバーナキャップの外径よりも外側にはみ出して旋回している。従って、バーナキャップの外径よりも外側にはみ出して旋回している旋回流の一部は、バーナキャップの外周壁と被覆体で構成した空間部に流れ込む。このような旋回流が生じている状態で点火電極から放電ターゲットに向けて放電すると、放電空間部に旋回流で流れ込んでいるガスが存在するので確実に点火されて燃焼を開始する。また、点火電極は空間部を構成した被覆体にて上方を覆われているために、被加熱物等から調理中に煮汁等が飛散したり零れたりしても、濡れたり或いは汚れたりすることがなくなるので、電気的なリークが生じることなく確実に放電するので確実な点火による使い勝手の良いガスコンロが提供できるのである。
【発明の効果】
【００１１】
本発明のガスコンロは、熱効率を向上させた省エネルギーで煮汁等こぼれに強い、確実な点火性能をする使い勝手の良いガスコンロを提供することができる。
【発明を実施するための最良の形態】
【００１２】
第１の発明は、上面に開口を設けた環状頭部を有するバーナボディと、前記バーナボディの環状頭部に着脱自在に取り付け、中心側に向かって放射状に円周等間隔に炎口を配列するとともに前記炎口の断面は一端を他端面より上方に突出させた形状にプレスで成形加工したバーナキャップと、前記バーナキャップの外方に着脱自在に取り付け、前記炎口側及び下方側に開口Ａ及び開口Ｂを有する空間部を形成したリング状の被覆体と、前記被覆体の空間部に配設した点火電極とを備え、前記空間部には点火電極からの放電ターゲットを形成し、前記バーナキャップ上面に旋回状に噴出するガスの点火構成を有したものである。
【００１３】
これにより、炎口からのガスは斜め上方に速度を有して噴出されるために、環状頭部で旋回流を呈する。このようなガスの流れが生じたコンロバーナでガスを燃焼させると、炎口に形成された燃焼炎は環状頭部で旋回した旋回燃焼を呈する。従って、旋回燃焼にて被加熱物を加熱すると、燃焼ガスは旋回流によって強制的に攪拌される現象が生じるので乱流状態になる。この乱流状態の燃焼ガスが被加熱物表面を流れるので被加熱物の表面と燃焼ガス間に生じる温度境界層が薄くなることで被加熱物と燃焼ガス間の熱伝達係数が大きくなる。よって、被加熱物に燃焼ガスから伝わる熱量が多くなる。以上のコンロバーナを搭載したガスコンロにあっては、熱効率の高い省エネのガスコンロが提供できるのである。また、旋回流が生じることで、旋回流の周囲の空気にも旋回流によって誘発された旋回現象が生じているので、燃焼時に燃焼炎と燃焼用二次空気間の拡散係数が大きくなるので、燃焼炎に十分な二次空気供給がなされて完全燃焼がえられる。この完全燃焼によって一酸化炭素等が発生しない安全なガスコンロが提供できるのである。
【００１４】
また、上面に開口を設けた環状頭部を有するバーナボディの該環状頭部に、中心側に向かって放射状に円周等間隔に炎口を配設して、炎口の断面は一端を他端面より上方に突出させた形状にプレスで成形加工したバーナキャップを載置したコンロバーナを構成し、炎口の外方に一端を炎口側に開口した開口Ａと他端を炎口の外方の下方に開口した開口Ｂを有する空間部をバーナキャップの外周壁と被覆体で構成した。コンロバーナの外方に設けた空間部に点火電極を内包して空間部に点火電極からの放電ターゲットを構成して点火部を構成したことにより、炎口からのガスは斜め上方に速度を有して噴出されるために、環状頭部で旋回流を呈する。この旋回流の一部はバーナキャップ外方の部分で旋回流によって生じている遠心力にてバーナキャップの外径よりも外側にはみ出して旋回している。従って、バーナキャップの外径よりも外側にはみ出して旋回している旋回流の一部は、バーナキャップの外周壁と被覆体で構成した空間部に流れ込む。このような旋回流が生じている状態で点火電極から放電ターゲットに向けて放電すると、放電空間部に旋回流で流れ込んでいるガスが存在するので確実に点火されて燃焼を開始する。また、点火電極は空間部を構成した被覆体にて上方を覆われているために、被加熱物等から調理中に煮汁等が飛散したりこぼれたりしても、濡れたり或いは汚れたりすることがなくなるので、電気的なリークが生じることなく確実に放電するので確実な点火による使い勝手の良いガスコンロが提供できるのである。また、点火されるまでは空間部にガスの一部が流入しているが点火と同時に炎口に形成される燃焼炎の燃焼速度或いは燃焼用空気量との関係で燃焼炎はバーナキャップの外方にはみ出す現象はないので被覆体が燃焼炎で直接加熱されることがないので、ガスコンロ全体の温度上昇もなく燃焼熱のロスも少ない安全で経済的なガスコンロが提供できる。
【００１５】
第２の発明は、バーナキャップの炎口構成面又は、バーナキャップ外周壁に点火電極からの放電ターゲットを形成し、バーナキャップ上面に旋回状に噴出するガスの点火構成を有したものである。
【００１６】
これにより、点火電極と放電ターゲット間の放電空間がよりガスが噴出される炎口に近くで構成されるので、放電時に放電空間に旋回流を呈しているガスが確実に存在するので確実な点火性能がえられる。
【００１７】
第３の発明は、バーナキャップ上面の放射状に配列した炎口の1つが、被覆体の空間部に形成される開口Ａの略中央に位置するように配置したものである。
【００１８】
これにより、点火電極と放電ターゲット間の放電空間がよりガスが噴出される炎口に直近で構成されるので、放電時に放電空間に旋回流を呈しているガスが確実に存在するので確実な点火性能がえられる。
【００１９】
以下、本発明の実施の形態について、図面を参照しながら説明する。なお、本実施例の形態によって本発明が限定されるものではない。
【００２０】
（実施の形態１）
図１は、本発明の第１の実施の形態におけるガスコンロの燃焼部の断面図を示し、図２は本発明の燃焼部を搭載したガスコンロを示すものである。図３は燃焼部の上面図、図４は燃焼部の点火部の拡大断面図、図５は炎口の拡大断面図を示すものである。
【００２１】
図において、１はガスコンロでコンロバーナ２を有し、コンロバーナ２はバーナボディ３に嵌合搭載されるバーナキャップ４は、ステンレス材等でプレス加工し、ガスシール部は中央の２次空気孔通過孔５の円筒部６、外周の円筒部７の２ヶ所で構成されている。バーナボディ３にはバーナキャップ４が載置されて二次空気通過孔５が構成されている。炎口８の形状は、一端９を他端面１０より上方１１に突出させた形状でプレス加工にて炎口スリット巾１２を形成して構成されている。バーナキャップ４の外方１３に被覆体１４が設けられてバーナキャップ４の外周壁１５との構成で炎口８の外方１３に開口Ａ１６と外方１３の下方に開口Ｂ１７を有した空間部１８を構成し、空間部１８に点火電極１９を設けて点火電極１９に対応した空間部１８の上方に位置する部分で空間部１８に面する表面の被覆体１４に空間部１８に対して凸状の放電ターゲット２０を構成して点火部２１が構成されてガスコンロ１の燃焼部２２が構成されている。２３はガスコンロ１のゴトクで被加熱物２４が載せられて調理等に使用される。
【００２２】
これにより、ガスコンロ１の操作部が点火操作されるとコンロバーナ２のバーナキャップ４の炎口８を炎口スリット巾１２で構成したから、炎口８からのガスの噴出は斜め上方を向くようになる。この斜め上方噴出したガスが円周に沿って斜め上方に流れることにより旋回流が起こる。同時に、炎口８からのガスは斜め上方に速度を有しているために、旋回流の一部はバーナキャップ４の外方１３の部分で旋回流によって生じている遠心力にてバーナキャップ４の外径よりも外側にはみ出して旋回している。従って、バーナキャップ４の外径よりも外側にはみ出して旋回している旋回流の一部は、バーナキャップ４の外周壁１５と被覆体１４で構成した空間部１８に開口Ａ１６から流れ込む状態で旋回している。このような旋回流が生じている状態で点火電極１９から放電ターゲット２０に向けて放電すると、放電されると開口Ａ１６から空間部１８に旋回流で流れ込んでいるガスが存在するので確実に点火されて燃焼を開始する。燃焼は中央の二次空気通過孔５より二次空気の吸引して供給することにより、最適な良好燃焼が得られる。また、炎口８は火炎が斜め上向きとなることにより、円周方向へ噴き出す力と、排気熱が上方向からさらに被加熱物２４の底を伝って排出される力により旋回流が生じて、中央の二次空気通過孔５よりより多くの二次空気を吸引することができ良好な燃焼を得ることができる。従って、旋回燃焼にて被加熱物を加熱すると、燃焼ガスは旋回流によって強制的に攪拌される現象が生じるので乱流状態になる。この乱流状態の燃焼ガスが被加熱物２４表面を流れるので被加熱物２４の表面と燃焼ガス間に生じる温度境界層が薄くなることで被加熱物２４と燃焼ガス間
の熱伝達係数が大きくなる。よって、被加熱物２４に燃焼ガスから伝わる熱量が多くなる。以上のコンロバーナ２を搭載したガスコンロ１にあっては、熱効率の高い省エネのガスコンロ１が提供できるのである。また、攪拌によって良好な燃焼が得られているので、被加熱物２４底とコンロバーナ２間距離を近づけることができ省エネ・熱効率を向上させることができる。
【００２３】
また、点火電極１９は空間部１８を構成した被覆体１４にて上方１１を覆われているために、被加熱物２４等から調理中に煮汁等が飛散したりこぼれたりしても、濡れたり或いは汚れたりすることがなくなるので、電気的なリークが生じることなく確実に放電するので確実な点火による使い勝手の良いガスコンロ１が提供できるのである。
【００２４】
また、点火されるまでは空間部１８にガスの一部が流入しているが点火と同時に炎口に形成される燃焼炎の燃焼速度或いは燃焼用空気量との関係で燃焼炎はバーナキャップ４の外方１３にはみ出す現象はないので被覆体２４が燃焼炎で直接加熱されることがないので、ガスコンロ１全体の温度上昇もなく燃焼熱のロスも少ない安全で経済的なガスコンロが提供できる。
【００２５】
以上のように、本実施の形態におけるガスコンロは、バーナキャップの上面側に全ての炎口を設けた構成において安定した着火性能を確保することができる点火構成を提供するものである。
【００２６】
（実施の形態２）
図６は、本発明の第２の実施形態の点火構成の断面形状を示す。尚、実施の形態１と同様の機能及び作用するものには同一番号を附し説明は省略する。
【００２７】
図において、バーナキャップ４の炎口８の構成面又は、バーナキャップ４の外周壁１５に点火電極１９からの放電ターゲット２５を構成した点火構成を有するガスコンロ１である。
【００２８】
これにより、点火電極と放電ターゲット間の放電空間がよりガスが噴出される炎口に近くで構成されるので、放電時に放電空間に旋回流を呈しているガスが確実に存在するので確実な点火性能がえられる。
【００２９】
（実施の形態３）
実施の形態２で示した図６を用いて、本発明の第３の実施形態の点火構成を説明する。尚、他の実施の形態と同様の機能及び作用するものには同一番号を附し説明は省略する。プレス成形で加工した炎口８が、炎口８の外方１３の炎口８側に開口した開口Ａ１６の概中央に位置した点火構成を有するガスコンロ１である。
【００３０】
これにより、点火電極１９と放電ターゲット２０間の放電空間がよりガスが噴出される炎口８に直近で構成されるので、放電時に放電空間に旋回流を呈しているガスが確実に存在するので確実な点火性能がえられる。
【産業上の利用可能性】
【００３１】
以上のように、本発明にかかるガスコンロは、確実な点火と良好な燃焼が得られるので安全な使い勝手の良い調理器等の用途にも適用できる。
【図面の簡単な説明】
【００３２】
【図１】本発明の実施形態１におけるガスコンロの燃焼部の断面図
【図２】同コンロバーナを搭載したガスコンロ外観図
【図３】同コンロの燃焼部の上面図
【図４】同コンロの点火部の拡大断面図
【図５】同コンロの炎口の拡大断面図
【図６】本発明の実施の形態２の点火部構成を示す上面図
【図７】従来のコンロバーナの側面断面図
【図８】従来の他のコンロバーナの側面断面図
【符号の説明】
【００３３】
１  ガスコンロ
２  コンロバーナ
３  バーナボディ
４  バーナキャップ
５  ２次空気通過孔
８  炎口
１４  被覆体
１５  外周壁
１６  開口Ａ
１７  開口Ｂ
１８  空間部
１９  点火電極
２０  放電ターゲット
２１  点火部
【図１】
2007032997.tif 000003
【図２】
2007032997.tif 000004
【図３】
2007032997.tif 000005
【図４】
2007032997.tif 000006
【図５】
2007032997.tif 000007
【図６】
2007032997.tif 000008
【図７】
2007032997.tif 000009
【図８】
2007032997.tif 000010